(57)【要約】【課題】回転部材に２枚重ねシートを巻き付けるという比較的単純な構成でシートを剥離し、剥離したシートに少なくとも１枚の中紙類（シート状媒体）を所望の位置に挿入できるシート剥離装置を提供する。【解決手段】本発明のシート剥離装置は、２枚のシートを回転部材に巻き付け、２枚のシートを剥離した後、２枚のシートを剥離して生じた空間に剥離爪を挿入し、剥離爪を挿入した状態で、第１搬送手段により２枚重ねシートを回転部材から引き戻す方向に搬送することで、２枚のシートをそれぞれのシートに剥離する。  第１搬送手段が、それぞれのシートを経路部材にそれぞれ搬送することで、接合部を端として開口させ、２枚のシートの開口に挿入する際、２枚のシートの、第１搬送手段のニップ部からの正搬送方向における突出量は、第１搬送手段により調整可能であり、突出量が調整された２枚のシートの開口に、少なくとも１枚のシート状媒体を挿入する。【選択図】図２１
2020179584.tif 000002
【特許請求の範囲】
【請求項１】
２枚のシートが重ねられ、その一部が接合された２枚重ねシートの前記２枚のシートを剥離し、前記２枚のシートの間に少なくとも１枚のシート状媒体を挿入するシート剥離装置において、
正逆方向に回転可能な回転部材と、
前記回転部材との間で前記２枚重ねシートを挟持する第一部材と、
前記２枚重ねシートの接合部を上流に配置して、前記２枚重ねシートを前記回転部材と前記第一部材との間に搬送可能であるとともに、前記回転部材と前記第一部材との間に搬送する方向と逆方向に搬送可能である第１搬送手段と、
前記回転部材と前記第一部材との間に搬送された前記２枚重ねシートを前記回転部材に巻き付ける巻き付け手段と、
前記シート状媒体を前記逆方向から前記第１搬送手段に搬送する第２搬送手段と、
前記２枚重ねシートの幅方向に移動可能な剥離爪と、
前記２枚のシートを剥離したそれぞれのシートを別々に案内する経路部材と、を備え、
前記２枚のシートを前記回転部材に巻き付け、前記２枚のシートを剥離した後、前記２枚のシートが剥離して生じた空間に前記剥離爪を挿入し、
前記剥離爪を挿入した状態で、前記第１搬送手段により前記２枚重ねシートを前記逆方向に搬送することで、前記２枚のシートをそれぞれのシートに剥離し、
前記第１搬送手段が、前記それぞれのシートを前記経路部材にそれぞれ搬送することで、前記接合部を端として開口させ、
前記第２搬送手段により前記逆方向から前記第１搬送手段に向けて少なくとも１枚の前記シート状媒体を搬送し、前記２枚のシートの開口に挿入する際、
前記２枚のシートの、前記第１搬送手段のニップ部からの前記逆方向における突出量は、前記第１搬送手段により調整可能であり、
前記突出量が調整された前記２枚のシートの開口に、前記第２搬送手段により少なくとも１枚の前記シート状媒体を挿入することを特徴とするシート剥離装置。
【請求項２】
２枚のシートが重ねられ、その一部が接合された２枚重ねシートの前記２枚のシートを剥離し、前記２枚のシートの間に少なくとも１枚のシート状媒体を挿入するシート剥離装置において、
正逆方向に回転可能な回転部材と、
前記回転部材に設けられ、前記２枚重ねシートを保持する保持手段と、
前記２枚重ねシートの接合部を上流に配置して、前記２枚重ねシートを前記回転部材に搬送可能であるとともに、前記回転部材に搬送する方向と逆方向に搬送可能である第１搬送手段と、
前記シート状媒体を前記逆方向から前記第１搬送手段に搬送する第２搬送手段と、
前記２枚重ねシートの幅方向に移動可能な剥離爪と、
前記２枚のシートを剥離したそれぞれのシートを別々に案内する経路部材と、を備え、
前記保持手段で前記２枚重ねシートを保持した状態で前記２枚重ねシートを前記回転部材に巻き付け、前記２枚のシートを剥離した後、前記２枚のシートが剥離して生じた空間に前記剥離爪を挿入し、
前記剥離爪を挿入した状態で、前記第１搬送手段により前記２枚重ねシートを前記逆方向に搬送することで、前記２枚のシートをそれぞれのシートに剥離し、
前記第１搬送手段が、前記それぞれのシートを前記経路部材にそれぞれ搬送することで、前記接合部を端として開口させ、
前記第２搬送手段により前記逆方向から前記第１搬送手段に向けて少なくとも１枚の前記シート状媒体を搬送し、前記２枚のシートの開口に挿入する際、
前記２枚のシートの、前記第１搬送手段のニップ部からの前記逆方向における突出量は、前記第１搬送手段により調整可能であり、
前記突出量が調整された前記２枚のシートの開口に、前記第２搬送手段により少なくとも１枚の前記シート状媒体を挿入することを特徴とするシート剥離装置。
【請求項３】
前記２枚重ねシートの搬送方向の端部を検出する搬送センサを備え、
前記搬送センサの検出結果により、前記突出量を調整することを特徴とする請求項１又は２に記載のシート剥離装置。
【請求項４】
前記第１搬送手段は、前記２枚のシートの前記接合部を前記ニップ部で保持して停止し、
前記接合部に前記シート状媒体を突き当てることで、前記２枚のシートと前記シート状媒体の相対位置を決定することを特徴とする請求項１乃至３のいずれか一項に記載のシート剥離装置。
【請求項５】
前記第１搬送手段は、前記２枚のシートの前記接合部を、前記第１搬送手段の前記ニップ部よりも前記逆方向の下流に位置するように、前記２枚のシートを前記ニップ部で保持して停止し、
前記ニップ部に前記シート状媒体を突き当てることで、前記２枚のシートと前記シート状媒体の相対位置を決定することを特徴とする請求項１乃至３のいずれか一項に記載のシート剥離装置。
【請求項６】
前記シート状媒体の前記逆方向への搬送線速を、前記２枚重ねシートの前記逆方向への搬送線速よりも大きくして搬送し、
前記ニップ部に前記シート状媒体を突き当てることで、前記２枚のシートと前記シート状媒体の相対位置を決定することを特徴とする請求項１乃至３のいずれか一項に記載のシート剥離装置。
【請求項７】
前記シート状媒体の前記逆方向への搬送線速を、前記２枚重ねシートの前記逆方向への搬送線速と等しくして搬送し、
前記突出量が所望の値となる時点で、前記２枚のシートに前記シート状媒体を挟み込むことで、前記２枚のシートと前記シート状媒体の相対位置を決定することを特徴とする請求項１乃至３のいずれか一項に記載のシート剥離装置。
【請求項８】
前記２枚重ねシートを積載する第１積載手段と、
前記第１積載手段から前記第１搬送手段に前記２枚重ねシートを給送する第１給送手段と、
前記２枚重ねシートに挿入するシート状媒体を積載する第２積載手段と、
前記第２積載手段から前記第２搬送手段に前記シート状媒体を給送する第２給送手段と、備えたことを特徴とする請求項１乃至７のいずれか一項に記載のシート剥離装置。
【請求項９】
請求項１乃至８のいずれか一項に記載のシート剥離装置と、
前記２枚重ねシートを加熱及び加圧可能な熱加圧部材と、
を備えることを特徴とするラミネート処理装置。
【請求項１０】
２枚重ねシートを積載する第３積載手段と、
前記第３積載手段から前記２枚重ねシートを給送する第３給送手段と、
給送された前記２枚重ねシートに画像を形成する画像形成部と、
画像形成された前記２枚重ねシートの前記２枚のシートを剥離する請求項１乃至８のいずれか一項に記載のシート剥離装置、又は請求項９に記載のラミネート処理装置と、を備えた画像形成装置。
【請求項１１】
シート状媒体を積載する第４積載手段と、
前記第４積載手段から前記シート状媒体を給送する第４給送手段と、
給送された前記シート状媒体に画像を形成する画像形成部と、
画像形成された前記シート状媒体を、前記第２搬送手段により、前記一部を端として開口させた前記２枚重ねシートに前記シート状媒体を挿入する請求項１乃至８のいずれか一項に記載のシート剥離装置、又は請求項９に記載のラミネート処理装置と、を備えた画像形成装置。
【請求項１２】
シート状媒体を積載する第４積載手段と、
前記第４積載手段から前記シート状媒体を給送する第４給送手段と、
給送された前記シート状媒体に画像を形成する画像形成部と、を備え、
画像形成された前記シート状媒体を、前記第２搬送手段により、前記一部を端として開口させた前記２枚重ねシートに前記シート状媒体を挿入することを特徴とする請求項１０に記載の画像形成装置。
【請求項１３】
画像形成装置と、
前記画像形成装置に着脱可能に接続された請求項１乃至８のいずれか一項に記載のシート剥離装置、又は請求項９に記載のラミネート処理装置と、備えた画像形成システム。
【発明の詳細な説明】
【技術分野】
【０００１】
本発明は、シート剥離装置、ラミネート処理装置、画像形成装置及び画像形成システムに関する。
【背景技術】
【０００２】
２枚のシートが重ねられ、一辺が接合（接続）された２枚重ねシート（ラミネートシート又はラミネートフィルム）内に、中紙類（用紙、写真など）を挿入し、熱と圧力を加えることで２枚重ねシートを接着して、内側の中紙類を挟み込むラミネート処理という技術が知られている。
【０００３】
今までのラミネート処理では、ユーザが、２枚重ねシートに中紙類を手作業で挿入した後、ラミネート処理機を用いてシートを接着していた。
【０００４】
しかし、２枚重ねシートの内側には接着剤層があるため滑りが悪く、ユーザにとって２枚のシートを手で剥離することは面倒であった。また、シート剥離後に挟み込む中紙類を正確な位置に挿入することも手間であった。さらに、ラミネート処理機によるラミネート処理には、約３０〜６０秒の時間が掛かるため、その間ユーザは待機する必要があった。
【０００５】
このような作業を自動化する技術として、例えば特許文献１には、専用のラミネート装置が開示されている。このラミネート装置は、前端が接続されているラミネートフィルムを分離解放手段（上部、下部バキューム）で分離し、その後、保護紙葉体を挿入する構成となっている。
【発明の概要】
【発明が解決しようとする課題】
【０００６】
しかし、特許文献１に開示されているラミネート装置は、上部、下部バキュームで構成される分離解放手段を用いるため、装置が複雑化・大型化するという問題がある。また、それに伴い、装置自体も非常に高価になると考えられる。さらに、上部、下部バキュームでは、２枚のラミネートフィルムの接着強度により必ずしも分離できないおそれもある。
【０００７】
オフィスや一般家庭で用いる装置は、簡略で小型、そして安価なものが望ましい。そのため、できる限り単純な構成で、２枚重ねシートの２枚のシートを確実に剥離できる装置が求められている。また、剥離したシートに対し、一枚以上の中紙類を正確な位置に挿入（挟み込み）することも求められている。
【０００８】
そこで本発明は、回転部材に２枚重ねシートを巻き付けるという比較的単純な構成でシートを剥離し、剥離したシートに少なくとも１枚の中紙類（シート状媒体）を所望の位置に挿入できるシート剥離装置を提供することを目的とする。
【課題を解決するための手段】
【０００９】
上記課題は、２枚のシートが重ねられ、その一部が接合された２枚重ねシートの前記２枚のシートを剥離し、前記２枚のシートの間に少なくとも１枚のシート状媒体を挿入するシート剥離装置において、正逆方向に回転可能な回転部材と、前記回転部材との間で前記２枚重ねシートを挟持する第一部材と、前記２枚重ねシートの接合部を上流に配置して、前記２枚重ねシートを前記回転部材と前記第一部材との間に搬送可能であるとともに、前記回転部材と前記第一部材との間に搬送する方向と逆方向に搬送可能である第１搬送手段と、前記回転部材と前記第一部材との間に搬送された前記２枚重ねシートを前記回転部材に巻き付ける巻き付け手段と、前記シート状媒体を前記逆方向から前記第１搬送手段に搬送する第２搬送手段と、前記２枚重ねシートの幅方向に移動可能な剥離爪と、前記２枚のシートを剥離したそれぞれのシートを別々に案内する経路部材と、を備え、前記２枚のシートを前記回転部材に巻き付け、前記２枚のシートを剥離した後、前記２枚のシートが剥離して生じた空間に前記剥離爪を挿入し、前記剥離爪を挿入した状態で、前記第１搬送手段により前記２枚重ねシートを前記逆方向に搬送することで、前記２枚のシートをそれぞれのシートに剥離し、前記第１搬送手段が、前記それぞれのシートを前記経路部材にそれぞれ搬送することで、前記接合部を端として開口させ、前記第２搬送手段により前記逆方向から前記第１搬送手段に向けて少なくとも１枚の前記シート状媒体を搬送し、前記２枚のシートの開口に挿入する際、前記２枚のシートの、前記第１搬送手段のニップ部からの前記逆方向における突出量は、前記第１搬送手段により調整可能であり、前記突出量が調整された前記２枚のシートの開口に、前記第２搬送手段により少なくとも１枚の前記シート状媒体を挿入することを特徴とするシート剥離装置によって解決される。
【００１０】
また上記課題は、２枚のシートが重ねられ、その一部が接合された２枚重ねシートの前記２枚のシートを剥離し、前記２枚のシートの間に少なくとも１枚のシート状媒体を挿入するシート剥離装置において、正逆方向に回転可能な回転部材と、前記回転部材に設けられ、前記２枚重ねシートを保持する保持手段と、前記２枚重ねシートの接合部を上流に配置して、前記２枚重ねシートを前記回転部材に搬送可能であるとともに、前記回転部材に搬送する方向と逆方向に搬送可能である第１搬送手段と、前記シート状媒体を前記逆方向から前記第１搬送手段に搬送する第２搬送手段と、前記２枚重ねシートの幅方向に移動可能な剥離爪と、前記２枚のシートを剥離したそれぞれのシートを別々に案内する経路部材と、を備え、前記保持手段で前記２枚重ねシートを保持した状態で前記２枚重ねシートを前記回転部材に巻き付け、前記２枚のシートを剥離した後、前記２枚のシートが剥離して生じた空間に前記剥離爪を挿入し、前記剥離爪を挿入した状態で、前記第１搬送手段により前記２枚重ねシートを前記逆方向に搬送することで、前記２枚のシートをそれぞれのシートに剥離し、前記第１搬送手段が、前記それぞれのシートを前記経路部材にそれぞれ搬送することで、前記接合部を端として開口させ、前記第２搬送手段により前記逆方向から前記第１搬送手段に向けて少なくとも１枚の前記シート状媒体を搬送し、前記２枚のシートの開口に挿入する際、前記２枚のシートの、前記第１搬送手段のニップ部からの前記逆方向における突出量は、前記第１搬送手段により調整可能であり、前記突出量が調整された前記２枚のシートの開口に、前記第２搬送手段により少なくとも１枚の前記シート状媒体を挿入することを特徴とするシート剥離装置によっても解決される。
【発明の効果】
【００１１】
本発明のシート剥離装置は、回転部材に２枚重ねシートを巻き付け、幾何学的な関係から内周側シートと外周側シートの間に巻き付け周長差を生じさせることで、２枚重ねシートの２枚のシートを剥離できる。また、剥離した２枚のシートの、第１搬送手段のニップ部からの突出量を調整できるので、少なくとも１枚のシート状媒体を所望の位置に挿入できる。
【図面の簡単な説明】
【００１２】
【図１】本発明の一実施形態に係るシート剥離装置の全体構成図である。
【図２】図１のシート剥離装置の主要部分を示す構成図（その１）である。
【図３】図１のシート剥離装置の主要部分を示す構成図（その２）である。
【図４】図１のシート剥離装置の主要部分を示す構成図（その３）である。
【図５】図１のシート剥離装置の主要部分を示す構成図（その４）である。
【図６】図１のシート剥離装置の主要部分を示す構成図（その５）である。
【図７】図１のシート剥離装置の主要部分を示す構成図（その６）である。
【図８】図１のシート剥離装置の主要部分を示す構成図（その７）である。
【図９】図１のシート剥離装置の主要部分を示す構成図（その８）である。
【図１０】図１のシート剥離装置の主要部分を示す構成図（その９）である。
【図１１】図１のシート剥離装置の主要部分を示す構成図（その１０）である。
【図１２】図１のシート剥離装置の主要部分を示す構成図（その１１）である。
【図１３】図１のシート剥離装置の主要部分を示す構成図（その１２）である。
【図１４】図１のシート剥離装置の主要部分を示す構成図（その１３）である。
【図１５】シート剥離装置が備える剥離爪の模式図である。
【図１６】剥離爪でシートＳを互いに剥離する様子を示す斜視図（その１）である。
【図１７】剥離爪でシートＳを互いに剥離する様子を示す斜視図（その２）である。
【図１８】剥離爪でシートＳを互いに剥離する様子を示す斜視図（その３）である。
【図１９】シート給紙から中紙挟みこみ完了までの一連の動作を説明するフローチャートである。
【図２０】第１手段を説明するシート剥離装置の主要部分を示す構成図である。
【図２１】第２手段を説明するシート剥離装置の主要部分を示す構成図である。
【図２２】第３手段を説明するシート剥離装置の主要部分を示す構成図である。
【図２３】第４手段を説明するシート剥離装置の主要部分を示す構成図である。
【図２４】第５手段を説明するシート剥離装置の主要部分を示す構成図である。
【図２５ａ】シート給紙から剥離完了までの一連の動作を説明するフローチャートである。
【図２５ｂ】第１〜第４手段による中紙給紙から挟みこみ完了までの一連の動作を説明するフローチャートである。
【図２６】図４と、その巻付けローラ上にあるシートＳの部分拡大図を含む構成図である。
【図２７】変形例（その１）に係るシート剥離装置の主要部分と、その巻付けローラ上にあるシートＳの部分拡大図を含む構成図である。
【図２８】変形例（その２）に係るシート剥離装置の主要部分を示す構成図である。
【図２９】変形例（その３）に係るシート剥離装置の主要部分と、その部分拡大図を含む構成図である。
【図３０】（ａ）は巻付けローラと別部品で構成された、くさび部を示す模式図であり、（ｂ）は弾性部材とした、くさび部を示す模式図である。
【図３１】変形例（その３）に係るシート剥離装置の主要部分を示す構成図（その２）である。
【図３２】本発明に係るシート剥離装置を備えるラミネート処理装置の一例を示す全体構成図である。
【図３３】本発明に係るラミネート処理装置を備える画像形成装置の一例を示す全体構成図である。
【図３４】本発明に係るラミネート処理装置を備える画像形成装置の変形例を示す全体構成図である。
【発明を実施するための形態】
【００１３】
本実施形態のシート剥離装置は、２枚重ねシート（以下、シートＳという）を互いに剥離し、その剥離したシートＳ内に中紙Ｐを挿入して挟持させるものである。
【００１４】
ここで、シートＳとは、２枚のシートが重ねられ、その一部（又は一辺）が接合された２枚重ねシートである。
【００１５】
２枚重ねシートとしては、例えば、片側を透明ポリエステルシートなどの透過性シートとし、反対側を透明又は不透明シートとして、それらの一辺で接合したものがある。
【００１６】
中紙Ｐは、それら２枚重ねシートに挿入されるシート状媒体の一例である。シート状媒体には、普通紙以外に、厚紙、はがき、封筒、薄紙、塗工紙（コート紙やアート紙など）、トレーシングペーパ、ＯＨＰシートなどが含まれる。
【００１７】
また、本文中において、「シートＳを互いに剥離する」とは、２枚重ねシートＳの２枚のシートを剥離（分離）することを意味する。
【００１８】
（実施形態）
図１は、本発明の一実施形態に係るシート剥離装置の全体構成図である。図１に示すように、シート剥離装置１００は、シートＳを積載する第１積載手段であるシートトレイ１０２と、シートトレイ１０２からシートＳを給送するピックアップローラ１０５と、搬送ローラ対１０７とを備える。またシート剥離装置１００は、中紙Ｐを積載する第２積載手段である給紙トレイ１０３と、給紙トレイ１０３から中紙Ｐを給送するピックアップローラ１０６とを備える。
【００１９】
搬送ローラ対１０７の搬送方向下流には、シートＳの搬送方向の端部を検出することにより搬送位置を検出する搬送センサＣ１が設けられ、ピックアップローラ１０６の搬送方向下流には、中紙Ｐの搬送方向の端部を検出することにより搬送位置を検出する搬送センサＣ２が設けられている。
【００２０】
さらにシート剥離装置１００は、搬送ローラ対１０７及びピックアップローラ１０６の下流に、入口ローラ対１０８と、回転部材としての巻付けローラ１０９と、後述する第一部材としての従動ローラ１１０とからなるローラ対と、出口ローラ対１１３と、排紙トレイ１０４などを備える。入口ローラ対１０８の搬送方向下流には、シートＳ及び中紙Ｐの搬送方向の端部を検出することにより搬送位置を検出する搬送センサＣ３が設けられ、出口ローラ対１１３の搬送方向下流には、シートＳの搬送方向の端部を検出することにより搬送位置を検出する搬送センサＣ４が設けられている。
【００２１】
なお、ピックアップローラ１０５、搬送ローラ対１０７、入口ローラ対１０８、巻付けローラ１０９と従動ローラ１１０からなるローラ対は、第１給送手段の一例であり、ピックアップローラ１０６、入口ローラ対１０８、巻付けローラ１０９、従動ローラ１１０とからなるローラ対は第２給送手段の一例である。
【００２２】
本実施形態のシート剥離装置１００は、図１に示すように、シートＳと中紙Ｐを別々のトレイに積載し、巻付けローラ１０９と従動ローラ１１０とからなるローラ対の間に送り、出口ローラ対１１３に送る。後述するように出口ローラ対１１３と、巻付けローラ１０９と従動ローラ１１０とからなるローラ対との間に位置されたシートＳの剥離された２枚のシートの開口内に中紙Ｐを挿入する。そして、中紙Ｐが挿入されたシートＳを、出口ローラ対１１３により、排紙トレイ１０４に排出・積載する。以下より、その具体的な構成と、動作について詳細に説明する。
【００２３】
図２は、図１のシート剥離装置の主要部分を示す構成図（その１）である。図２に示すように、シート剥離装置１００は、第１搬送手段である出口ローラ対１１３を備え、出口ローラ対１１３により、搬送されたシートＳを巻付けローラ１０９と従動ローラ１１０とからなるローラ対の間にシートＳを搬送する。
【００２４】
入口ローラ対１０８及び出口ローラ対１１３は、それぞれ、例えば対となった２つのローラであり、駆動手段（モータなど）により、入口ローラ対１０８は一方向に回転駆動し、出口ローラ対１１３は正逆方向に回転駆動され、シートＳ及び中紙Ｐを挟持して搬送する。
【００２５】
入口ローラ対１０８は、シートＳ及び中紙Ｐを出口ローラ対１１３に向けて搬送する。この搬送方向を正搬送方向（矢印Ａ方向）と呼ぶ。
【００２６】
一方、出口ローラ対１１３は、その回転を正逆の両方向に切り替え可能である。挟持されたシートＳを正搬送方向である排紙トレイ１０４（図１参照）に向けて搬送できるとともに、その逆方向（引き戻す方向）となる巻付けローラ１０９に向けてシートＳを搬送することもできる。この巻付けローラ１０９に向けて搬送する方向（正搬送方向に対し、逆方向）を、逆搬送方向（矢印Ｂ方向）と呼ぶ。
【００２７】
また、シート剥離装置１００は、これら入口ローラ対１０８と出口ローラ対１１３との間に、回転部材である巻付けローラ１０９と、その巻付けローラ１０９に従動して回転する第一部材である従動ローラ１１０とを備える。
【００２８】
巻付けローラ１０９は、駆動手段（モータなど）により正逆方向に回転駆動され、その回転を両方向（時計回り／反時計回り）に切り替え可能である。従動ローラ１１０は、巻付けローラ１０９に当接し、ニップ部を形成し、巻付けローラ１０９と従動ローラ１１０とによってシートＳ及び中紙Ｐを挟持して搬送する。
【００２９】
さらにシート剥離装置１００は、巻付けローラ１０９の回転軸と直交する方向の外周である円周周り（外周面）に、回転方向に互いに所定の間隔を持って配置された第二部材としてのローラ部材であるグリップローラ１１１、１１２と、シートＳの搬送方向を切り替えるための分岐爪Ｔ１、Ｔ２とを備える。
【００３０】
これら複数のグリップローラ１１１、１１２は、巻付けローラ１０９に当接し、従動して回転する。グリップローラ１１１、１１２は、シートＳを巻付けローラ１０９とで挟持（グリップ）し、巻付けローラ１０９に巻き付けるために用いられる。
【００３１】
分岐爪Ｔ１は、入口ローラ対１０８と巻付けローラ１０９の間に配置され、分岐爪Ｔ２は、巻付けローラ１０９と出口ローラ対１１３の間に配置されている。これら分岐爪Ｔ１、Ｔ２は、駆動手段（モータなど）によりその位置（向き）を変動でき、シートＳの搬送方向を変更できる。
【００３２】
なお、グリップローラ１１１、１１２、及び分岐爪Ｔ１、Ｔ２は、シートＳを巻付けローラ１０９に巻き付ける巻き付け手段としての巻き付け部材の一例である。
【００３３】
続いて、図１〜図１４を用いて、シート剥離装置１００の一連の動作、すなわちシートＳの剥離から中紙Ｐの挿入までの動作を説明する。なお、図３〜図１４において、図１、２と同一物には同一符号を付してその詳細な説明は省略する。
【００３４】
まず、図１に示すように、本実施形態のシート剥離装置１００は、シートトレイ１０２上にシートＳの２枚のシートが接合された一部（接合部）がそのシートＳにおけるピックアップローラ１０５の給送方向（搬送方向）の下流流側に位置するように積載され、シートトレイ１０２上のシートＳをピックアップローラ１０５にてピックし、搬送ローラ対１０７により入口ローラ対１０８に向けて搬送する。
【００３５】
次いで、図２に示すように、入口ローラ対１０８より、シートＳを巻付けローラ１０９と従動ローラ１１０で形成されるニップ部に向けて搬送する。このとき分岐爪Ｔ１、Ｔ２は、シートＳの搬送経路上方、下方にそれぞれ移動されており、分岐爪Ｔ１はシートＳを入口ローラ対１０８から巻付けローラ１０９と従動ローラ１１０の間に案内し、分岐爪Ｔ２はシートＳを巻付けローラ１０９と従動ローラ１１０の間から出口ローラ対１１３に案内する。
【００３６】
ここで、本実施形態では、シート剥離装置１００は、シートＳの４辺中の一辺である端部が接合された側を正搬送方向（矢印Ａ方向）の下流として搬送する。
【００３７】
続いて図３に示すように、シート剥離装置１００は、正搬送方向におけるシートＳの後端部が、分岐爪Ｔ１を過ぎた後、例えば、巻付けローラ１０９と従動ローラ１１０のニップ部に挟持された時点で、シートＳの搬送を一時停止する。それとともに、分岐爪Ｔ１を回転軸を支点にして反時計回りに移動（回動）させ、シートＳの後端部を巻付けローラ１０９の周りに案内する経路を生成する。なお、これら動作は、搬送センサＣ３（図１参照）の検出位置をトリガとして実施できる。
【００３８】
次に、図４に示すように、出口ローラ対１１３と巻付けローラ１０９は回転方向を反転し、シートＳを逆搬送方向（矢印Ｂ方向）に搬送する。そして、分岐爪Ｔ１によってシートＳを巻付けローラ１０９の周りに案内する。すなわち、シート剥離装置１００は、シートＳの接合されていない側から、シートＳを巻付けローラ１０９に巻き付ける。なお、このときの巻付けローラ１０９の回転方向を第一の回転方向と呼ぶ。
【００３９】
図５〜図７に、シートＳを巻付けローラ１０９に巻き付ける過程を示す。グリップローラ１１１、１１２は、送られてきたシートＳを巻付けローラ１０９との間に挟持し、シートＳを巻付けローラ１０９の円周周りに巻き付けていく（図５参照）。
【００４０】
シートＳを巻付けローラ１０９に１周以上巻き付けると、シートＳの先端（シートＳの接合されていない側）は、巻付けローラ１０９に対し固定される。さらにシートＳを巻付けローラ１０９に巻き付けると、シートＳの２枚のシートである内周側にあるシートと外周側にあるシートに周長差（巻き付け量の差）が生じ、出口ローラ対１１３と巻付けローラ１０９の間で、シートＳが剥離し始める（シートＳに隙間が形成され始める）（図６参照）。
【００４１】
そして図７に示すように、出口ローラ対１１３と巻付けローラ１０９の間に、内周側シートの弛みが集まることで、内周側シートと外周側シートの間に隙間（空間）ｇを生じさせることができる。
【００４２】
このように、本実施形態のシート剥離装置１００は、シートＳを巻付けローラ１０９に巻き付け、幾何学的な関係から内周側シートと外周側シートの間に巻き付け周長差を生じさせることで、シートＳを確実に剥離できる。
【００４３】
続いて、本実施形態のシート剥離装置１００において、シートＳの接合された一部である一辺（一端）とその一辺（一端）と対向する開口端となる他辺（他端）と間の部分全体を剥離して中紙Ｐをその中に挿入するための追加の構成と、その動作について説明する。
【００４４】
図８に示すように、本実施形態のシート剥離装置１００は、シートＳの剥離されたシートのうちの１つのシートを案内する経路部材１１５と、シートＳの幅方向の両側に設けられ、シートＳの幅方向に移動可能な剥離爪１１６とをさらに備える。シート剥離装置１００は、シートＳに生じた空間ｇに対し、両側から剥離爪１１６を挿入できる。
【００４５】
図９に示すように、シート剥離装置１００は、剥離爪１１６を挿入した状態で、シートＳを正搬送方向（矢印Ａ方向）に搬送する方向に出口ローラ対１１３を回転させる。そして、図１０に示すように、剥離爪１１６がシートＳの搬送方向後端部に達することで、シートＳの後端（開口）を剥離できる。
【００４６】
ここで、剥離爪１１６について補足説明する。
【００４７】
図１５はシート剥離装置が備える剥離爪の模式図であり、図１６〜図１８は剥離爪でシートＳを互いに剥離する様子を示す斜視図である。
【００４８】
これら図に示すように、剥離爪１１６は、挿入方向（矢印Ｃ）の先端から後端に向かって徐々に隆起する形状であり、シートＳに生じた空間ｇにスムーズに挿入できる。
【００４９】
また、剥離爪１１６を空間ｇに挿入した後（図１６、１７参照）、シートＳを正搬送方向（矢印Ａ）に搬送することで、シートＳの後端部まで確実に剥離することができる（図１８参照）。
【００５０】
なお、単一の剥離爪１１６を備える構成とし、シートＳの片側にのみ挿入するとしてもよい。また、剥離爪１１６の形状は、図に示したものに限定されない。例えば、長楕円形状として構成してもよいし、さらに９０°回転可能な構成としてもよい。
【００５１】
図１０に戻り、説明を続ける。シート剥離装置１００は、出口ローラ対１１３が、シートＳを正搬送方向（矢印Ａ）に搬送してシートＳを剥離した後、回転軸を支点として分岐爪Ｔ２を時計方向に移動（回動）され、回転させ、今までのシートＳの搬送経路を閉じる。
【００５２】
次いで、図１１に示すように、出口ローラ対１１３は回転を反転し、シートＳを逆搬送方向（矢印Ｂ方向）に搬送する。これにより、シートＳの剥離された２枚のシート（以下、上側シートＳ１、下側シートＳ２とする）は、それぞれ別の方向に案内される。すなわち、上側シートＳ１は経路部材１１５に沿って搬送され、下側シートＳ２は経路部材でもある分岐爪Ｔ２に沿って搬送される。そして、図に示すように、シートＳは接合された一辺を端として、大きく開口することになる。
【００５３】
続いて、図１２に示すように、出口ローラ対１１３は、シートＳを逆搬送方向（矢印Ｂ方向）に指定位置まで搬送して待機する一方、第２搬送手段である入口ローラ対１０８は、給紙トレイ１０３（図１参照）から、中紙Ｐを出口ローラ対１１３に向けて正搬送方向（矢印Ａ方向）搬送する。このとき、分岐爪Ｔ１は、搬送経路上方に移動されており、中紙Ｐがその下を通過する。
【００５４】
次いで、図１３に示すように、開口したシートＳ内に中紙Ｐを挿入する。なお、これら動作は、搬送センサＣ４（図１参照）の検出位置をトリガとして実施できる。
【００５５】
そして、図１４に示すように、出口ローラ対１１３は、中紙Ｐが挿入されたシートＳを正搬送方向（矢印Ａ方向）に搬送することで、シートＳの２枚のシートを再度重ね、開口が閉じられる。そしてシート剥離装置１００は、中紙Ｐが挟み込まれたシートＳを、出口ローラ対１１３、又はそれ以降に配置されたローラなど（不図示）により、排紙トレイ１０４に排出・積載する（図１参照）。
【００５６】
図１９は、シート給紙から中紙挟みこみ完了までの一連の動作を説明するフローチャートである。フローチャートに対応する図面の番号を示しながら説明する。
【００５７】
まず、ステップＳ１１において、シート剥離装置１００は、シートＳの給紙を開始する（図１参照）。次いで、ステップＳ１２において、搬送センサＣ４にシートＳの先端が到着したか判定する（図２参照）。ステップＳ１３にて、シート剥離装置１００は、シートＳが搬送センサＣ４から指定量搬送したことを判定すると、ステップＳ１４にて、分岐爪Ｔ１をシートＳが巻き付け経路に案内される位置に移動する（図３参照）。
【００５８】
続いて、ステップＳ１５において、シート剥離装置１００は、巻付けローラ１０９を逆回転し、シートＳを巻付けローラ１０９に巻き付ける（図４〜７参照）。ステップＳ１６において、シート剥離装置１００は、搬送センサＣ４にシートＳの先端が到達したことを判定すると、ステップＳ１７において、シートＳを搬送センサＣ４から指定量搬送した後、搬送を停止し、分岐爪Ｔ１を元の位置に移動させて戻す。そして、ステップＳ１８において、シートＳの剥離で生じた空間ｇに剥離爪１１６を挿入する（図８参照）。
【００５９】
次いで、ステップＳ１９において、シート剥離装置１００は、出口ローラ対１１３と巻付けローラ１０９を正回転し、シートＳを正搬送方向に搬送する。これにより、シートＳは搬送方向後端まで互いに剥離されることになる（図９、１０参照）。
【００６０】
続いて、ステップＳ２０において、シート剥離装置１００は、シートＳが搬送センサＣ４から指定量搬送されたことを判定すると、ステップＳ２１において、分岐爪Ｔ２を剥離位置に移動し、出口ローラ対１１３を逆回転する。次いで、ステップＳ２２において、シートＳの先端が搬送センサＣ４を通過したか判定する（図１１参照）。
【００６１】
そして、ステップＳ２３においてシート剥離装置１００は、シートＳを搬送センサＣ４から指定量搬送した後、シートＳの搬送を停止し、分岐爪Ｔ２を元の位置に移動させて戻す。このとき、シートＳを接合された一辺を端として、開口することになる（図１１参照）。
【００６２】
続いて、ステップＳ２４において、シート剥離装置１００は、中紙Ｐの給紙を開始する（図１２参照）。ステップＳ２５において、搬送センサＣ３により、中紙Ｐの先端が通過したことを判定した後、ステップＳ２６において、中紙Ｐを指定量搬送することで、シートＳ内に挿入する（図１３参照）。そして、出口ローラ対１１３を正回転して、中紙Ｐが挿入されたシートＳを正搬送方向に搬送することで、挟み込みが完了する（図１４参照）。ステップＳ２７において、挟み込みが完了し、シートＳが出口ローラ対１１３から排出された後に、全てのローラの回転を停止する。
【００６３】
このように、本実施形態のシート剥離装置１００は、シートＳを大きく開口し、その中に中紙Ｐを挿入・挟持させることができる。したがって、例えば、バキューム装置を用いる特許文献１のラミネート装置に比べ、単純な構成であり、装置全体を簡略化、小型化できる。
【００６４】
また、本実施形態のシート剥離装置１００は、図１で示したように、シートＳと中紙Ｐを別々のトレイに積載し、それぞれ別々に搬送できる。このため、シートＳと中紙Ｐを予め決められた順番に積載する必要がなく、利便性を向上できる。なお、本実施形態では、トレイ１０２にシートＳを積載し、トレイ１０３に中紙Ｐを積載するようにしたが、これに限定されない。トレイ１０２に中紙Ｐを積載し、トレイ１０３にシートＳを積載してもよい。
【００６５】
続いて、本発明の特徴的構成について説明する。
【００６６】
本実施形態のシート剥離装置１００は、先の図１３で示したように、シートＳを２枚のシートに剥離し、開口したシートＳ内に中紙Ｐを挿入する。剥離したシートＳに対し、中紙Ｐを所望の位置に挿入（位置決め）するため、以下４つの手段を用いる。
【００６７】
（第１手段）
図２０は、第１手段を説明するシート剥離装置の主要部分を示す構成図である。図２０に示すように、シート剥離装置１００において、出口ローラ対１１３は、ニップ部にてシートＳの接合部（接続部）をニップ（保持）して停止し、その接合部（接続部）に中紙Ｐを突き当てることで、シートＳに対する中紙Ｐの位置決めを行う。
【００６８】
シートＳの接合部はシートＳの搬送方向において幅があり、接合部の開口側端部は、出口ローラ対１１３のニップ部よりも正搬送方向の上流側にある。そのため、接合部に中紙Ｐを突き当てることで、シートＳに対して中紙Ｐを位置決めできる。また、中紙Ｐの傾きを補正するため、相対位置（相対姿勢）精度を向上できる。
【００６９】
ところで、シートＳの接合部に中紙Ｐを突き当てるという第１手段では、シートＳの接合部に対してのみ、中紙Ｐを位置決めする。そのため、搬送方向における長さがシートＳよりも短い中紙Ｐを挿入する場合、シートＳの真ん中の位置に中紙Ｐを配置したり、複数枚の中紙Ｐをその隙間を均等にして配置したりすることは困難であるという問題があった。
【００７０】
そこで、これらの問題を解決できる第２〜第５手段について説明する。
【００７１】
（第２手段）
図２１は、第２手段を説明するシート剥離装置の主要部分を示す構成図である。図２１に示すように、シート剥離装置１００には、シートＳ及び中紙Ｐの搬送位置を検出する搬送センサＣ３と、シートＳの搬送位置を検出する搬送センサＣ４とが設けられている。
【００７２】
シート剥離装置１００は、正搬送方向に搬送されるシートＳの先端位置を搬送センサＣ３で検出し、出口ローラ対１１３によりシートＳを任意の距離搬送した時点で、搬送を停止する。そして、出口ローラ対１１３のニップ部に中紙Ｐを突き当てることで、シートＳに対して中紙Ｐの位置決めを行う。
【００７３】
すなわち、シート剥離装置１００は、搬送センサＣ３の検出結果により、出口ローラ対１１３のニップ部からの正搬送方向におけるシートＳの接合部の位置（突出量Ｌ）を調整可能であり、突出量Ｌが調整されたシートＳの開口に中紙Ｐを挿入する。また、出口ローラ対１１３のニップ部に中紙Ｐを突き当てることで、中紙Ｐの傾きを補正し、相対位置（相対姿勢）精度を向上できる。
【００７４】
したがって、例えば、シートＳより小さいサイズの中紙ＰをシートＳの真ん中に配置するといった位置決めも実施できる。
【００７５】
なお、接合部の位置（突出量）を搬送センサＣ３にて検出することに替えて、出口ローラ対１１３の搬送量（回転量）で接合部の位置（突出量Ｌ）を検出してもよい。
【００７６】
（第３手段）
図２２は、第３手段を説明するシート剥離装置の主要部分を示す構成図である。図２２に示すように、シート剥離装置１００は、中紙Ｐの正搬送方向の搬送速度Ｖ２をシートＳの正搬送方向の搬送速度Ｖ１よりも大きくし（Ｖ２＞Ｖ１）、両者に速度差を持たせながら搬送する。そして、出口ローラ対１１３からシートＳを任意の距離搬送した時点で、出口ローラ対１１３のニップ部に中紙Ｐを突き当てることで、シートＳに対して中紙Ｐの位置決めを行う。
【００７７】
なお、出口ローラ対１１３のニップ部に中紙Ｐを突き当てた後、中紙Ｐの正搬送方向の搬送速度Ｖ２とシートＳの正搬送方向の搬送速度Ｖ１は、互いに等しくする。
【００７８】
このように第３手段では、出口ローラ対１１３が停止しないため、第１、第２手段に比べて生産性を向上でき、有利である。
【００７９】
（第４手段）
第４手段では、出口ローラ対１１３のニップ部において、シートＳと中紙Ｐの合流タイミングを合わせる制御を行うことで、シートＳに対する中紙Ｐの位置を調整する。
【００８０】
図２３は、第４手段を説明するシート剥離装置の主要部分を示す構成図である。図２３（ａ）に示すように、シート剥離装置１００は、シートＳの剥離後に、中紙Ｐの搬送を開始する。次いで、図２３（ｂ）に示すように、出口ローラ対１１３は、シートＳを正搬送方向に搬送し、出口ローラ対１１３のニップ部からの正搬送方向におけるシートＳの接合部の位置（突出量）を調整する。なお、シートＳの搬送位置を搬送センサＣ４で読取り、中紙Ｐの搬送位置を搬送センサＣ３で読取るとしてもよい。
【００８１】
そして、図２３（ｃ）に示すように、シート剥離装置１００は、中紙Ｐの正搬送方向の搬送速度Ｖ２とシートＳの正搬送方向の搬送速度Ｖ１とを等しく搬送し（Ｖ２＝Ｖ１）、シートＳの接合部の位置（突出量Ｌ）が所望の値となるタイミングでシートＳに中紙Ｐを挟み込む。
【００８２】
この場合も、出口ローラ対１１３は停止しないため、第１、第２手段に比べて生産性を向上でき、有利である。
【００８３】
（第５手段）
図２４は、第５手段を説明するシート剥離装置の主要部分を示す構成図である。第５手段では、図２０〜２３に示した第１〜４手段のいずれかを用いて、シートＳに複数枚の中紙Ｐを挿入する。
【００８４】
図２４（ａ）に示すように、第１〜４手段のいずれかを用いてシートＳに最初の中紙Ｐ１を位置決め・挿入する。次いで、図２４（ｂ）に示すように、中紙Ｐ１に後続する中紙Ｐ２を、第１〜４手段のいずれかを用いてシートＳに位置決め・挿入する。そして、図２４（ｃ）に示すように、シートＳの２枚のシートを再度重ね、開口を綴じる。
【００８５】
なお、図２４では、シートＳに対し、２枚の中紙Ｐ１、Ｐ２を挿入したが、２枚以上の中紙Ｐであっても同様な手段により、位置決め・挿入できる。
【００８６】
このように、本実施形態のシート剥離装置は、剥離したシートＳの、出口ローラ対１１３のニップ部からの突出量が調整できるので、複数枚の中紙Ｐを所望の位置に位置決め・挿入できる。
【００８７】
図２５ａは、シート給紙から剥離完了までの一連の動作を説明するフローチャートであり、図２５ｂは、第１〜第４手段による中紙給紙から挟みこみ完了までの一連の動作を説明するフローチャートである。フローチャートに対応する図面の番号を示しながら説明する。
【００８８】
ステップＳ１１において、シート剥離装置１００がシートＳの給紙を開始してから、ステップ２２において、シートＳの先端が搬送センサＣ４を通過したか判定するまでは、先に示した図１９のフローチャートと同じ処理となる。したがって、その説明を省略する。
【００８９】
次いで、ステップＳ２３において、シート剥離装置１００は、シートＳの接続部を出口ローラ対１１３のニップ部まで搬送した後、停止するか判定する。接続部をニップ部に位置する場合（ＹＥＳの場合）、ステップＳ２４に移行し、中紙Ｐの給紙を開始する（図１２参照）。一方、接続部をニップ部に位置しない場合（ＮＯの場合）、ステップＳ２５に移行し、シートＳをニップ部から指定量搬送後、停止する。
【００９０】
次に、ステップＳ２６において、シート剥離装置１００は、搬送センサＣ２に中紙Ｐの先端が到着したことを判定すると、ステップＳ２７において、出口ローラ対１１３によりシートＳを搬送するか判定する。
【００９１】
シートＳを搬送しない場合（ＮＯの場合）、ステップＳ２８に移行し、シート剥離装置１００は、シートＳの接合部が出口ローラ対１１３のニップ部にあるか判定する。
【００９２】
ステップＳ２８において、シートＳの接合部が出口ローラ対１１３のニップ部にある場合（ＹＥＳの場合）、ステップＳ２９に移行し、シート剥離装置１００は、その接合部に中紙Ｐを突き当てることで、シートＳに対する中紙Ｐの位置決めを行う（第１手段、図２０参照）。
【００９３】
一方、シートＳの接合部が出口ローラ対１１３のニップ部にない場合（ＮＯの場合）、ステップＳ３０に移行する。シート剥離装置１００は、シートＳを所望の距離搬送した時点で搬送を停止し、出口ローラ対１１３のニップ部に中紙Ｐを突き当てることで、中紙Ｐの位置決めを行う（第２手段、図２１参照）。
【００９４】
次いで、ステップＳ３１において、シート剥離装置１００は、中紙Ｐが挿入されたシートＳを正搬送方向に搬送する。
【００９５】
先のステップＳ２７において、シートＳを搬送する場合（ＹＥＳの場合）、ステップＳ３２に移行し、シート剥離装置１００は、シートＳの正搬送方向の搬送速度Ｖ１と中紙Ｐの正搬送方向の搬送速度Ｖ２を等しくするか判定する。
【００９６】
シートＳの正搬送方向の搬送速度Ｖ１と中紙Ｐの正搬送方向の搬送速度Ｖ２を等しくする場合（ＹＥＳの場合）、ステップＳ３３に移行する。シート剥離装置１００は、シートＳの接合部の位置（突出量Ｌ）が所望の値となるタイミングでシートＳに中紙Ｐを挟み込む（第４手段、図２３参照）。
【００９７】
一方、シートＳの正搬送方向の搬送速度Ｖ１と中紙Ｐの正搬送方向の搬送速度Ｖ２を等しくしない場合（ＮＯの場合）、ステップＳ３４において、シートＳの正搬送方向の搬送速度Ｖ１よりも中紙Ｐの正搬送方向の搬送速度Ｖ２を大きくする。そして、ステップＳ３５において、シート剥離装置１００は、出口ローラ対１１３からシートＳを所望の距離搬送した時点で、出口ローラ対１１３のニップ部に中紙Ｐを突き当てることで、中紙Ｐの位置決めを行う（第３手段、図２２参照）。その後、中紙Ｐの正搬送方向の搬送速度Ｖ２とシートＳの正搬送方向の搬送速度Ｖ１を互いに等しくして搬送する。
【００９８】
そして、ステップＳ３６において、挟み込みが完了し、シートＳが出口ローラ対１１３から排出された後に、全てのローラの回転を停止する。
【００９９】
このように、本実施形態のシート剥離装置１００は、第１〜第４手段により、剥離したシートＳに中紙Ｐを所望の位置に挿入できる。
【０１００】
続いて、本実施形態の変形例について説明する。
【０１０１】
（変形例その１）
先の図６において、シートＳを巻付けローラ１０９に１周以上巻き付けることで、シートＳの先端を巻付けローラ１０９に固定できることを説明した。これに対し、本変形例では、１周未満の巻き付けで、シートＳを互いに剥離できるシート剥離装置について説明する。
【０１０２】
図２６は、先に示した図４と、その巻付けローラ上にあるシートＳの部分拡大図を含む構成図である。図２７は、変形例（その１）に係るシート剥離装置の主要部分と、その巻付けローラ上にあるシートＳの部分拡大図を含む構成図である。
【０１０３】
図２６の部分拡大図に示すように、シートＳを巻付けローラ１０９に巻き付ける際、シートＳは巻き付け周長差により、搬送量に差が生じる。
【０１０４】
これに対し、本変形例のシート剥離装置１００ａは、図２７に示すように、従動ローラ１１０による挟持力をＦ１、グリップローラ１１１による挟持力をＦ２、グリップローラ１１２による挟持力をＦ３として、Ｆ１＜Ｆ２＜Ｆ３としている。すなわち、従動ローラ１１０による挟持力よりもグリップローラ１１１、１１２による挟持力を大きくし、グリップローラ１１１、１１２が従動ローラ１１０に当接するグリップ部において、シートＳの内側シートと外側シートのずれを規制している。
【０１０５】
そのため、従動ローラ１１０と巻付けローラ１０９のニップ部で周長差分のスリップが生じ、シートＳの内側シートの搬送量が、外側シートの搬送量に対して少なくなる。その結果、シートＳを巻付けローラ１０９に１周以上巻き付けなくても、出口ローラ対１１３と巻付けローラ１０９の間に内周側シートの弛みが集まり、内周側シートと外周側シートの間に隙間（空間）ｇを生じさせることができる。
【０１０６】
このように、従動ローラ１１０、及びグリップローラ１１１、１１２による挟持力を、巻付けローラ１０９の（巻き付け時の）回転方向の順に大きくすることで、シートＳを１周未満の巻き付けで、互いに剥離することができる。これにより、シートＳの巻き付け量を減らし、剥離時間を短縮できる。
【０１０７】
また、従動ローラ１１０、及びグリップローラ１１１、１１２による挟持力は、例えば、それぞれの巻付けローラ１０９への当接力を調整するといった方法で、変更できることが望ましい。このシート剥離装置１００ａは、シート巻き付け量を調整することで、様々なサイズのシートを剥離でき、有利である。
【０１０８】
（変形例その２）
図２８は、変形例（その２）に係るシート剥離装置の主要部分を示す構成図である。図２８に示すように、本変形例のシート剥離装置１００ｂは、グリップローラ１１１、１１２に代えて、巻付けローラ１０９の円周周りに２枚重ねシートＳを案内するガイド部材１１９を備えることを特徴とする。
【０１０９】
ガイド部材１１９で巻付けローラ１０９にシートＳを巻き付けることで、シートＳを剥離することができる。なお、ガイド部材１１９とグリップローラ１１１、１１２の両方を備えるという構成にしてもよい。
【０１１０】
（変形例その３）
図２９は、変形例（その３）に係るシート剥離装置の主要部分と、その部分拡大図を含む構成図である。図２９において、図２と同一物には同一符号を付してその詳細な説明は省略する。
【０１１１】
本変形例のシート剥離装置１００ｃは、従動ローラ１１０、グリップローラ１１１、１１２をなくす一方、部分拡大図に示すように、くさび部１１７が設けられた巻付けローラ１０９ａを備える。このくさび部１１７は、２枚重ねシートＳを保持する保持手段の一例であり、巻付けローラ１０９ａの外周に一体で成形されている。
【０１１２】
本変形例のシート剥離装置１００ｃは、出口ローラ対１１３で巻付けローラ１０９ａにシートＳを搬送し、その先端をくさび部１１７に差し込むことで、シートＳの先端を保持することを特徴とする。
【０１１３】
このくさび部１１７は、巻付けローラ１０９ａにシートＳ（の端部）を固定できればよく、図３０（ａ）に示すように、巻付けローラ１０９ａと別部品で構成してもよい。また、図３０（ｂ）に示すように、クリップのような弾性力を有する部材でシートＳを把持（保持）してもよい。これらは、シート剥離装置の構成に合わせて選択可能である。
【０１１４】
本変形例のシート剥離装置１００ｃにおいて、巻付けローラ１０９ａにシートＳを搬送するまでの動作、及び巻付けローラ１０９ａにシートＳを保持してからの動作は、先に説明した実施形態と同じである。図３１に示すように、巻付けローラ１０９ａにシートＳを巻き付けることで、シートＳのそれぞれのシート間に巻き付け周長差を生じさせ、剥離できる。
【０１１５】
このように、本変形例のシート剥離装置１００ｃは、従動ローラ１１０及びグリップローラ１１１、１１２を用いないため、それらの搬送力の調整が不要である。また、先に説明した実施形態に比べ、より単純な構成であり、装置全体をより簡略化、小型化できる。
【０１１６】
続いて、本発明に係るシート剥離装置を備えるラミネート処理装置、画像形成装置及び画像形成システムについて説明する。
【０１１７】
図３２は、本発明に係るシート剥離装置を備えるラミネート処理装置の一例を示す全体構成図である。図３２に示すように、ラミネート処理装置２００は、先に説明したシート剥離装置１００と、シートＳを加熱及び加圧可能な熱加圧部材である熱加圧ローラ１２０と、熱加圧ローラ１２０の下流に設けられた排出ローラ１２１とを備える。
【０１１８】
このラミネート処理装置２００は、シートＳの給紙、剥離、中紙Ｐの挿入、及び熱加圧によるラミネート処理までの一連の動作を１台で実施できる構成である。この一連の動作を、人手を要さずに自動で実施でき、従来技術よりも利便性を向上できる。
【０１１９】
図３３は、本発明に係るラミネート処理装置を備える画像形成装置の一例を示す全体構成図である。この画像形成装置３００は、ラミネート処理装置部として、内部にラミネート処理装置２００ａを備える。
【０１２０】
ここで、ラミネート処理装置２００ａは、シートＳ又は中紙Ｐを積載するシートトレイ１０２を備えるとともに、シートＳ及び／又は中紙Ｐを画像形成装置３００から給紙可能な構成である。したがって、画像形成装置３００（例えば、プリンタ、コピー機など）により、シートＳ又は中紙Ｐに画像をインラインで挿入できる。
【０１２１】
画像形成装置３００の構成を具体的に説明する。図３３に示すように、画像形成装置３００内には、中間転写装置１５０が設けられている。中間転写装置１５０は、複数のローラに掛けまわしてエンドレスの中間転写ベルト１５２をほぼ水平に張り渡し、反時計まわりに走行する。
【０１２２】
中間転写装置１５０の下には、シアン、マゼンタ、イエロー、ブラックの作像装置１５４ｃ、１５４ｍ、１５４ｙ、１５４ｋが、中間転写ベルト１５２の張り渡し方向に沿って四連タンデム式に並べて設けられている。各作像装置１５４は、図中時計まわりに回転するドラム状の像担持体のまわりに帯電装置、現像装置、転写装置、クリーニング装置などを設置して構成される。各作像装置１５４の下には、露光装置１５６が設けられている。
【０１２３】
露光装置１５６の下には、給紙装置１５８が設けられている。給紙装置１５８は、シートＳを収納する第１給紙カセット１６０と、中紙Ｐを収納する第２給紙カセット１６２とを備える。なお、第１給紙カセット１６０は、２枚重ねシートを積載する第３積載手段の一例であり、第２給紙カセット１６２は、シート状媒体を積載する第４積載手段の一例である。
【０１２４】
第１給紙カセット１６０の右上には、第１給紙カセット１６０内のシートＳを一枚ずつ繰り出して用紙搬送路１６４に入れる第１給紙コロ１６６が設けられている。また、第２給紙カセット１６２の右上には、給紙カセット内の中紙Ｐを一枚ずつ繰り出して用紙搬送路１６４に入れる第２給紙コロ１６８が設けられている。
【０１２５】
用紙搬送路１６４は、画像形成装置３００内の右側に下方から上方に向けて形成され、画像形成装置３００内のラミネート処理装置２００ａへと通ずる。用紙搬送路１６４には、搬送ローラ１７０、中間転写ベルト１５２と対向して二次転写装置１７４、定着装置１７６、一対の排紙ローラよりなる排紙装置１７８などが順に設けられている。
【０１２６】
なお、第１給紙コロ１６６、搬送ローラ１７０及び用紙搬送路１６４は、第１給紙カセット１６０（第３積載手段）から２枚重ねシートを給送する第３給送手段の一例である。また、第２給紙コロ１６８、搬送ローラ１７０及び用紙搬送路１６４は、第２給紙カセット１６２（第４積載手段）からシート状媒体を給送する第４給送手段の一例である。さらに、中間転写装置１５０、及び定着装置１７６などは、２枚重ねシート又はシート状媒体に画像を形成する画像形成部の一例である。
【０１２７】
続いて、本実施形態の画像形成装置３００において、シートＳに画像形成をした後、ラミネート処理を行う動作について説明する。
【０１２８】
シートＳに画像を形成する際、はじめに、画像読取装置１８８で原稿画像を読み取り、露光装置１５６で書き込みを行う。次いで、各作像装置１５４ｃ、１５４ｍ、１５４ｙ、１５４ｋのそれぞれの像担持体上に各色トナー画像を形成し、そのトナー像を一次転写装置１８０ｃ、１８０ｍ、１８０ｙ、１８０ｋで順次転写して中間転写ベルト１５２上にカラー画像を形成する。
【０１２９】
一方、画像形成装置３００は、第１給紙コロ１６６を回転してシートＳを繰り出して用紙搬送路１６４に入れる。そして、用紙搬送路１６４を通して搬送ローラ１７０で搬送してタイミングを取って二次転写位置へと送り込み、上記したように中間転写ベルト１５２上に形成したカラー画像が二次転写装置１７４でシートＳに転写される。
【０１３０】
画像転写後のシートＳは、定着装置１７６で画像定着後、排紙装置１７８でラミネート処理装置２００ａに送られる。
【０１３１】
また、画像形成装置３００は、第２給紙コロ１６８を回転して中紙Ｐを繰り出して用紙搬送路１６４に入れ、排紙装置１７８でラミネート処理装置２００ａに送る。
【０１３２】
このようにして、画像形成されたシートＳと、中紙Ｐをラミネート処理装置２００ａに送ることで、ラミネート処理が行われる。ラミネート処理の詳細は、上記したので省略する。
【０１３３】
本実施形態の画像形成装置３００は、上記した構成であるので、中紙Ｐに画像形成をした後に、ラミネート処理装置２００ａにより、ラミネート処理を行うこともできる。また、中紙ＰとシートＳに画像形成した後に、ラミネート処理を行うこともできる。
【０１３４】
図３４は、本発明に係るラミネート処理装置を備える画像形成装置の変形例を示す全体構成図である。この画像形成装置４００は、画像形成装置本体側に本体排出ローラ１２２と、本体排紙トレイ１２３とを備える点で、図３３の画像形成装置３００と異なる。
【０１３５】
画像形成装置４００は、ラミネート処理を実施しない場合、本体排出ローラ１２２を用いて画像形成した記録媒体を本体排紙トレイ１２３に排出できる。したがって、画像形成装置４００は、ラミネート処理をしない場合、画像形成の出力速度を下げない。
【０１３６】
なお、画像形成装置４００は、ラミネート処理装置２００ａを内部に脱着可能に備える構成としてもよい。すなわち、ラミネート処理が不要な際は、ラミネート処理装置２００ａを画像形成装置４００から外してもよい。
【０１３７】
また、その外したラミネート処理装置２００ａに、中紙Ｐを積載する給紙トレイ１０３と、給紙トレイ１０３から中紙Ｐを給送するピックアップローラ１０６とを装着し、図３２に示すものと同様なラミネート処理機単体として利用できるとしてもよい。
【０１３８】
図３３に示した画像形成装置３００、及び図３４に示した画像形成装置４００は、ラミネート処理機に代えて、シート剥離装置を備える構成としてもよい。また、図３４に示した画像形成装置４００では、シート剥離装置を着脱可能な構成としてもよい。
【０１３９】
また、画像形成システムとして、画像形成装置と、前記画像形成装置に着脱可能に接続されたシート剥離装置１００、１００ａ〜ｃ、又はラミネート処理装置２００を備えるシステムを構成してもよい。さらにまた、給紙装置（スタッカ）、及び／又はくるみ製本装置などを備えるシステムを構成してもよい。なお、シートＳを定着装置１７６の間を通す場合、そのシートＳは、定着温度では接着されず、それよりも高温の熱を与えることにより接着されるものである。
【０１４０】
さらに、画像形成装置３００、４００は、シートＳと中紙Ｐに画像を形成する方式として、電子写真方式を用いているがこれに限定されるものでなく、インクジェット方式や孔版印刷方式などの公知の画像形成方式を用いてもよい。
【０１４１】
以上、実施形態を用いて本発明を詳細に説明した。この実施形態は一例であり、要旨を逸脱しない範囲内で種々変更して使用できる。例えば、実施形態と変形例をそれぞれ組み合わせてもよい。
【符号の説明】
【０１４２】
１００、１００ａ、１００ｂ、１００ｃ  シート剥離装置
１０２  シートトレイ
１０３  給紙トレイ
１０４  排紙トレイ
１０５、１０６  ピックアップローラ
１０７  搬送ローラ対
１０８  入口ローラ対
１０９、１０９ａ  巻付けローラ
１１０  従動ローラ
１１１、１１２  グリップローラ
１１３  出口ローラ対
１１５  経路部材
１１６  剥離爪
１１７  くさび部
１１９  ガイド部材
１２０  熱加圧ローラ
１２１  排出ローラ
１２２  本体排出ローラ
１２３  本体排紙トレイ
１５０  中間転写装置
１５２  中間転写ベルト
１５４ｃ、１５４ｋ、１５４ｍ、１５４ｙ  作像装置
１５６  露光装置
１５８  給紙装置
１６０  第１給紙カセット
１６２  第２給紙カセット
１６４  用紙搬送路
１６６  第１給紙コロ
１６８  第２給紙コロ
１７０  搬送ローラ
１７４  二次転写装置
１７６  定着装置
１７８  排紙装置
１８０ｃ、１８０ｋ、１８０ｍ、１８０ｙ  一次転写装置
１８８  画像読取装置
２００、２００ａ  ラミネート処理装置
３００、４００  画像形成装置
Ｃ１、Ｃ２、Ｃ３、Ｃ４  搬送センサ
Ｐ  中紙
Ｓ  シート（２枚重ねシート）
Ｓ１  上側シート
Ｓ２  下側シート
Ｔ１、Ｔ２  分岐爪
Ｌ  突出量
ｇ  空間
【先行技術文献】
【特許文献】
【０１４３】
【特許文献１】特開２００６−１６０４２９号公報
【図１】
2020179584.tif 000003
【図２】
2020179584.tif 000004
【図３】
2020179584.tif 000005
【図４】
2020179584.tif 000006
【図５】
2020179584.tif 000007
【図６】
2020179584.tif 000008
【図７】
2020179584.tif 000009
【図８】
2020179584.tif 000010
【図９】
2020179584.tif 000011
【図１０】
2020179584.tif 000012
【図１１】
2020179584.tif 000013
【図１２】
2020179584.tif 000014
【図１３】
2020179584.tif 000015
【図１４】
2020179584.tif 000016
【図１５】
2020179584.tif 000017
【図１６】
2020179584.tif 000018
【図１７】
2020179584.tif 000019
【図１８】
2020179584.tif 000020
【図１９】
2020179584.tif 000021
【図２０】
2020179584.tif 000022
【図２１】
2020179584.tif 000023
【図２２】
2020179584.tif 000024
【図２３】
2020179584.tif 000025
【図２４】
2020179584.tif 000026
【図２５ａ】
2020179584.tif 000027
【図２５ｂ】
2020179584.tif 000028
【図２６】
2020179584.tif 000029
【図２７】
2020179584.tif 000030
【図２８】
2020179584.tif 000031
【図２９】
2020179584.tif 000032
【図３０】
2020179584.tif 000033
【図３１】
2020179584.tif 000034
【図３２】
2020179584.tif 000035
【図３３】
2020179584.tif 000036
【図３４】
2020179584.tif 000037